(57)【要約】      （修正有）【課題】従来型の発電による環境問題。将来的に持続可能なエネルギー確保の問題。経済活動におけるエネルギーコストの問題。従来型の発電における限られる設置場所の問題。建設コストの問題。運用効率の問題。【解決手段】駆動用モーターの消費電力と発電用モーターの発生電力との差から生じる電力を活用できるようにする回転運動における差力発電方法。差力発電方法を効率的に運用するため適度な大きさにユニット化した発電機構を複数つなぎ合わせ、それをブロック化したものを複数配置しコントロールすることで総合的に必要な発電量を確保するシステム。【選択図】図１
2009153378.tif 000002
【特許請求の範囲】
【請求項１】
駆動用モーターの消費電力と発電用モーターの発生電力との差から生じる電力を活用できるようにする回転運動における差力発電方法。
【請求項２】
差力発電方法を効率的に運用するため適度な大きさにユニット化した発電機構を複数つなぎ合わせ、それをブロック化したものを複数配置しコントロールすることで総合的に必要な発電量を確保するシステム。
【発明の詳細な説明】
【発明の詳細な説明】
「差力発電法の基本理論」
【０００１】モーターはその可動部分の質量を回転させることで、動力または電気を発生させる。この特性を利用し、一度与えられた運動エネルギーを基に発電用モーターで発生した電力の一部を駆動用モーターのエネルギー源とし、発電に必要な回転運動を持続させつづけることにより、発生した電力と駆動による消費電力の差で生じる電力を活用できるようにする方法である。  ＊（現代技術において経年劣化もおこさず永久不滅の物質で全てを構築することは不可      能であるが、一度稼働してしまえば持続的にその状態を維持できることから、理論      的・構造的には永久機関の一例である）「基本構造の要点」「駆動用モーターについて」
【０００２】発電用モーターの回転駆動部分の質量を完全停止状態から安定した発電に必要な回転力を与えることができる物を基準として使用するが、無理なく安定した出力の発電に必要な回転数に達してからは、与えられた運動エネルギーにより発生する慣性力が（重力、摩擦力、空気抵抗）などで徐々に失われていく回転速度分を安定状態まで再加速する分を補うだけの力を加え続けることが可能なので（必要に応じて発電モーターと駆動モーターの回転軸の間に、自動車などに使われている変速機構を取り付ける）、消費電力が軽減できる。「発電用モーターについて」
【０００３】駆動用モーターの運動出力を基準に使用するが、主に発電用モーターの可動部分の回転半径が小さいことを考慮し、慣性力を補うために可動部分の同軸線上（前後または両方）に、遠心力をいかした回転半径の大きいウエイトを設置する。「慣性力補助のウエイトについて」
【０００４】駆動用モーターの出力とウエイトの質量のバラスを考慮し、空気抵抗を小さくする。ウエイトは遠心力を最大限にいかすため、回転半径の外側部分に重量配分を集中させる。これにより駆動用モーターの消費電力を更に軽減できる。「制御系について」
【０００５】電力の一部を駆動用モーターに供給するさいに電圧と供給量の調整を行い、発電量を無理のない範囲に抑えて一定に安定させることに限定した物を使用する。「運用システムの基本的な仕組み」「ユニット化とブロック化」
【０００６】差力発電法より構造的に発電部分の機構全体をコンパクトにまとめることが可能。これにともない機構全体を一つのユニットとし、単独での発電能力を有するものとする。このユニット化したものを多数つなぎ合わせることで、必要な発電量を確保する。さらにユニットをまとめた物を一つのブロックとし、分散配置した物が発生させる電力が全体の必要とする総発電量を確保する。「ユニットについて」
【０００７】ユニットは発電量を無理のない範囲に限定して固定する。その大きさを（取り扱いをスムーズにするために）限定し統一化する。それにより単一のユニットごとに起きるであろう様々なトラブルを、ユニットそのものを交換することにより送電を停止させることなく速やかに解決できる。「ブロックについて」
【０００８】ユニットの集合体と制御室と交換用ユニット保管室の組み合わせが基本だが、必要に応じて修理や整備をする場所を設け、それ以外の施設は基本的に必要としない。基本的に発電量はブロック内のユニットの稼働台数で調整するが、必要に応じて固定化してブロック単位で調整する。差力発電法の構造的特徴により一切の有害物質を排出しないため、場所を選ばず（ブロックをシールド化すれば水中も）設置が可能。それにより分散配置することで様々な災害によるリスクを軽減することが可能である。「制御法について」
【０００９】基本的に総発電出力をユニットまたはブロックの稼働台数の増減により調整する。様々な条件により集中コントロールできない場所は、ブロックごとに単独コントロールして発電量を調整する。これにより経年劣化を除く要因でのトラブルを軽減でき、連続稼働によるユニットを構成する物質の物理的耐久限界を先延ばしすることが可能になり、連続稼働時間の延長にもつながり耐用年数が延びる。「将来性」
【０００１０】予想される将来的な消費電力の拡大をユニットやブロックを増設することでスムーズに総電力量を増産することが可能であり、将来的に発達し続けるであろう技術や新しい素材を構造部品として速やかに取り入れることに適している。
【発明の概要】
【発明が解決しようとする課題】従来型の発電による環境問題。将来的に持続可能なエネルギー確保の問題。経済活動におけるエネルギーコストの問題。従来型の発電における限られる設置場所の問題。建設コストの問題。運用効率の問題。「課題を解決する手段」駆動用モーターの消費電力と発電用モーターの発生電力との差から生じる電力を活用できるようにする回転運動における差力発電方法。差力発電方法を効率的に運用するため適度な大きさにユニット化した発電機構を複数つなぎ合わせ、それをブロック化したものを複数配置しコントロールすることで総合的に必要な発電量を確保するシステム。
【発明の効果】一切の燃料物質を必要とせずに電力を得ることができるので、、二酸化炭素やその他の有害物質などは全く出すことなく発電できる。しかも自然の力を利用するものでもないので気象現象などの要因に影響されず、構造上の特徴が（２４時間、３６５日）持続的に発電し続け、必要な発電量を将来にわたって安定して確保することを可能にする。構造的に設置場所を限定する必要がないため、高地・低地・山中・地下・都市部だろうと（シールド化すれば）水中・宇宙空間だろうとシステムを設置可能。設置場所の条件によるコストは別にして、システム構築は低コスト。エネルギーの増産をスムーズに行える。この方法で生み出された電力を利用して、水素を作り出すことが可能。これにより海水を含めた全ての水を、水素エネルギーとして活用することが可能。
【図面の簡単な説明】「差力発電法用」【図１】「図１  ユニット化の内部構造図一例」
【図２】「図２  補助ウエイトの形状の一例」「運用システム用」
【図３】「図３  ユニットの集合体と収束接合部一例」
【図４】「図４  ブロック化の内部構造図一例」
【図５】「図５  ブロックの分散配置とシステムのコントロール図」
【図１】
2009153378.tif 000003
【図２】
2009153378.tif 000004
【図３】
2009153378.tif 000005
【図４】
2009153378.tif 000006
【図５】
2009153378.tif 000007